(57)【要約】【課題】  コイル相互間等の沿面距離を長くしてコイル装置全体の小型コンパクト化を実現するとともに、部品及び製造に伴うコストダウンを実現する。【解決手段】  第一ケース部材３ｐに、ベースプレート部５の一端辺に一体形成して一対のコイル２ａ…の一端に対向し、かつ一対のボビン挿入孔７ａ，７ｂを有する第一バリアプレート部６を設けるとともに、第二ケース部材３ｑに、一対のコイルボビン部８ａ，８ｂ、及びこのコイルボビン部８ａ，８ｂの後端を一体形成し、かつ一対のコイル２ａ，２ｂの他端に対向する第二バリアプレート部９とを設け、さらに、第一ケース部材３ｐ又は第二ケース部材３ｑの一方に、一対のコイル２ａ，２ｂを仕切る仕切バリアプレート部１０を一体形成し、かつ他方に、仕切バリアプレート部１０の当接部１０ｓが挿入する仕切挿入孔１１を形成する。【選択図】  図１
2009123825.tif 000002
【特許請求の範囲】
【請求項１】
交流電源とこの交流電源を用いる機器間を接続する電源ラインに付設する一対のコイルを有するコイル装置において、第一ケース部材と第二ケース部材を組付けて構成するコイルケースを備え、前記第一ケース部材に、少なくとも一対のコイルのリード部を導出させる導出孔を有するベースプレート部、及びこのベースプレート部の一端辺に一体形成して前記一対のコイルの一端に対向し、かつ筒状を成す一対のコイルボビン部の先端側が挿入可能な一対のボビン挿入孔を有する第一バリアプレート部とを設けるとともに、前記第二ケース部材に、少なくとも前記一対のコイルボビン部、及びこのコイルボビン部の後端を一体形成し、前記一対のコイルの他端に対向する第二バリアプレート部とを設け、さらに、前記第一ケース部材又は前記第二ケース部材の一方に、前記一対のコイルを仕切る仕切バリアプレート部を一体形成し、かつ前記第一ケース部材又は前記第二ケース部材の他方に、前記仕切バリアプレート部の当接部が挿入する仕切挿入孔を形成してなることを特徴とするコイル装置。
【請求項２】
前記ベースプレート部の左右端辺には、前記コイルの側方を覆う左右一対の側面プレート部をそれぞれ一体形成することを特徴とする請求項１記載のコイル装置。
【請求項３】
前記コイルボビン部に対して両端側から挿入するコの字状を成す一対のコア部を備えることを特徴とする請求項１記載のコイル装置。
【請求項４】
前記一対のコイルは、平角導線を巻回した縦巻コイルを用いることを特徴とする請求項１又は３記載のコイル装置。
【請求項５】
前記一対のコイルは、前記電源ラインのノイズを除去するノイズフィルタを構成するコモンモードコイルとして用いることを特徴とする請求項１又は４記載のコイル装置。
【請求項６】
前記一対のコイルは、前記電源ラインのノイズを除去するノイズフィルタを構成する直列接続又は並列接続するノーマルモードコイルとして用いることを特徴とする請求項１又は４記載のコイル装置。
【発明の詳細な説明】
【技術分野】
【０００１】
本発明は、交流電源とこの交流電源を用いる機器間を接続する電源ラインに付設する一対のコイルを有するコイル装置に関する。
【背景技術】
【０００２】
従来、交流電源とこの交流電源を用いる機器間を接続する電源ラインに付設して当該電源ラインのノイズを除去するノイズフィルタは知られており、通常、この種のノイズフィルタには、絶縁用のケースにコイルを収容して構成したコイル装置を備えている。
【０００３】
例えば、特許文献１には、コモンモードチョークコイルの線間にそれぞれ接続されるコンデンサ及び各線とアース間に接続されるコンデンサにより構成され、交流電源と電子機器との間に挿入するノイズフィルタであって、熱良導体の金属板上に熱伝導性能が高く薄い絶縁層を持ち、この絶縁層上に導体箔のプリント配線パターンを構成した金属基板配線板と、上部にネジ止めする穴またはネジを有し、底面にハンダ付けする部分を有した入力端子，出力端子及びアース端子と、入力端子の相互間に接続するコンデンサ、出力端子の相互間に接続するコンデンサ及びアース端子と各出力端子間に接続するコンデンサに取付けられ、プリント配線パターン上に載せて自立しハンダ付けできる形状のコンデンサ用電極と、コモンモードチョークコイルを入れるケースに固定され、コモンモードチョークコイルを構成する電線を接続するとともに、プリント配線パターン上に載せてハンダ付けできる形状のコモンモードチョークコイル用電極とを設けたノイズフィルタが開示されており、このノイズフィルタには、ケースに入れたコモンモードチョークコイル、即ち、コイル装置を備えている。
【特許文献１】特開２００１−２１７６６８号公報
【発明の開示】
【発明が解決しようとする課題】
【０００４】
しかし、上述したノイズフィルタに備える従来のコイル装置は、次のような問題点があった。
【０００５】
第一に、通常、交流電源に接続する電源ラインに付設するコイル装置には、比較的高い電圧が印加されるため、規定に基づいた電気的な絶縁を施す必要があり、コイルとコア間或いはライン相互間の距離（沿面距離）は一定距離以上を確保している。したがって、コイルを収容するケース、更にはコイル装置全体の大型化を招きやすい。
【０００６】
第二に、コイルを支持する支持構造及びケースからのコイルリードの導出構造等による部品点数や製造工数の増加を来たし、コイル装置全体における部品及び製造に伴うコストアップを招きやすい。
【０００７】
本発明は、このような背景技術に存在する課題を解決したコイル装置の提供を目的とするものである。
【課題を解決するための手段】
【０００８】
本発明は、上述した課題を解決するため、交流電源とこの交流電源を用いる機器Ｍ間を接続する電源ラインＬｃ，Ｌｃに付設する一対のコイル２ａ，２ｂを有するコイル装置１を構成するに際して、第一ケース部材３ｐと第二ケース部材３ｑを組付けて構成するコイルケース３を備え、第一ケース部材３ｐに、少なくとも一対のコイル２ａ，２ｂのリード部２ａｓ，２ａｔ，２ｂｓ，２ｂｔを導出させる導出孔４…を有するベースプレート部５、及びこのベースプレート部５の一端辺に一体形成して一対のコイル２ａ，２ｂの一端に対向し、かつ筒状を成す一対のコイルボビン部８ａ，８ｂの先端側８ａｉ，８ｂｉが挿入可能な一対のボビン挿入孔７ａ，７ｂを有する第一バリアプレート部６とを設けるとともに、第二ケース部材３ｑに、少なくとも一対のコイルボビン部８ａ，８ｂ、及びこのコイルボビン部８ａ，８ｂの後端を一体形成し、一対のコイル２ａ，２ｂの他端に対向する第二バリアプレート部９とを設け、さらに、第一ケース部材３ｐ又は第二ケース部材３ｑの一方に、一対のコイル２ａ，２ｂを仕切る仕切バリアプレート部１０を一体形成し、かつ第一ケース部材３ｐ又は第二ケース部材３ｑの他方に、仕切バリアプレート部１０の当接部１０ｓが挿入する仕切挿入孔１１を形成してなることを特徴とする。
【０００９】
この場合、発明の好適な態様により、ベースプレート部５の左右端辺には、コイル２ａ，２ｂの側方を覆う左右一対の側面プレート部１５ａ，１５ｂをそれぞれ一体形成することができる。一方、コイル装置１には、コイルボビン部８ａ，８ｂに対して両端側から挿入するコの字状を成す一対のコア部１６ｐ，１６ｑを設けることができる。また、一対のコイル２ａ，２ｂは、平角導線Ｗｓを巻回した縦巻コイルを用いることができる。なお、一対のコイル２ａ，２ｂは、電源ラインＬｃ，Ｌｃのノイズを除去するノイズフィルタＦを構成するコモンモードコイルとして用いることができるし、電源ラインＬｃ，Ｌｃのノイズを除去するノイズフィルタを構成する直列接続又は並列接続するノーマルモードコイルとして用いることもできる。
【発明の効果】
【００１０】
このような構成を有する本発明に係るコイル装置１によれば、次のような顕著な効果を奏する。
【００１１】
（１）  第二ケース部材３ｑに、コイルボビン部８ａ，８ｂの後端を一体形成し、コイルボビン部８ａ，８ｂの先端側８ａｉ，８ｂｉを第一ケース部材３ｐのボビン挿入孔７ａ，７ｂに挿入するとともに、第一ケース部材３ｐ又は第二ケース部材３ｑの一方に、一対のコイル２ａ，２ｂを仕切る仕切バリアプレート部１０を一体形成し、かつ他方に、仕切バリアプレート部１０の当接部１０ｓを挿入するようにしたため、コイル２ａと２ｂ間等における見掛上の距離を短くしても、比較的高い電圧が印加される電源ラインＬｃ，Ｌｃに付設する際の実質的な距離（沿面距離）を長くすることができる。したがって、必要な絶縁性を確保でき、コイルケース３、更にはコイル装置１全体の小型コンパクト化を実現することができる。
【００１２】
（２）  コイルケース３は、コイル２ａ，２ｂのリード部２ａｓ…を導出させる導出孔４…を有する第一ケース部材３ｐと、一対のコイルボビン部８ａ，８ｂを一体に有する第二ケース部材３ｑとを組付けて構成するため、基本的には、第一ケース部材３ｐと第二ケース部材３ｑの二つの部品で足りる。したがって、部品点数の削減及び製造工数の低減を図れるため、コイル装置１全体における部品及び製造に伴うコストダウンを実現することができる。
【００１３】
（３）  好適な態様により、ベースプレート部５の左右端辺に、コイル２ａ，２ｂの側方を覆う左右一対の側面プレート部１５ａ，１５ｂを一体形成すれば、部品点数の増加を伴うことなく、第一バリアプレート部６及び第二バリアプレート部９と共にコイルケース３の周りを囲むコイル収容部を容易に形成することができる。
【００１４】
（４）  好適な態様により、コイル装置１に、コイルボビン部８ａ，８ｂに対して両端側から挿入するコの字状を成す一対のコア部１６ｐ，１６ｑを設ければ、第一バリアプレート部６及び第二バリアプレート部９とコイルボビン部８ａ，８ｂの構造により容易に組付けを行うことができるとともに、特に、第一バリアプレート部６に対するコイルボビン部８ａ，８ｂの先端側８ａｉ，８ｂｉの挿入構造によりコイル２ａ，２ｂとコア部１６ｐ，１６ｑ間の実質的な沿面距離を長くすることができる。
【００１５】
（５）  好適な態様により、一対のコイル２ａ，２ｂに、平角導線Ｗｓを巻回した縦巻コイルを用いれば、プリント基板や別途の電極等を用いることなく、ベースプレート部５に形成した導出孔４…にリード部２ａｓ…を挿通させるのみで外部への接続リード部を容易に設けることができる。
【００１６】
（６）  好適な態様により、一対のコイル２ａ，２ｂは、電源ラインＬｃ，Ｌｃのノイズを除去するノイズフィルタＦを構成するコモンモードコイルとして、或いは電源ラインＬｃ，Ｌｃのノイズを除去するノイズフィルタを構成する直列接続又は並列接続するノーマルモードコイルとして用いれば、ノイズフィルタの小型コンパクト化及び低コスト化に寄与できる。
【発明を実施するための最良の形態】
【００１７】
次に、本発明に係る最良の実施形態を挙げ、図面に基づき詳細に説明する。
【００１８】
まず、本実施形態に係るコイル装置１に用いる構成部品について、図１〜図６を参照して説明する。
【００１９】
コイル装置１は、図３に示すように、第一ケース部材３ｐ及び第二ケース部材３ｑにより構成するコイルケース３，一対のコイル２ａ，２ｂ及び一対のコア部１６ｐ，１６ｑを備える。
【００２０】
第一ケース部材３ｐは、ベースプレート部５、第一バリアプレート部６、仕切バリアプレート部１０及び左右一対の側面プレート部１５ａ，１５ｂを、プラスチック等の絶縁素材により一体に形成する。ベースプレート部５は矩形状に形成し、プレート面内には上下に貫通する四つの導出孔４…を設ける。このベースプレート部５の上面には、一対のコイル２ａ，２ｂを並べて配し、コイル２ａ，２ｂのリード部２ａｓ，２ａｔ，２ｂｓ，２ｂｔを、各導出孔４…に対して上から挿入し、下方へ突出（導出）させることができる。また、第一バリアプレート部６は、ベースプレート部５の一端辺から上方へ直角に起立し、プレート面内には、左右一対のボビン挿入孔７ａ，７ｂを設けるとともに、外面には、コアカバー部２１を一体に形成する。ボビン挿入孔７ａ，７ｂには、後述する筒状を成す一対のコイルボビン部８ａ，８ｂの先端側８ａｉ，８ｂｉを挿入（嵌合）できるとともに、挿入（嵌合）させたコイルボビン部８ａ，８ｂに対しては、外側から後述するコの字状を成すコア部１６ｐを挿入することができる。したがって、コアカバー部２１は、挿入したコア部１６ｐの左右側及び上側を覆うことができる。さらに、仕切バリアプレート部１０は、ベースプレート部５の左右方向中央位置から上方へ直角に起立し、かつ前後方向における一端辺が第一バリアプレート部６の内面に連続させる。そして、仕切バリアプレート部１０の前後方向における他端辺には、少なくとも上下方向中央位置を含む突起状の当接部１０ｓを設ける。この当接部１０ｓは、後述する第二バリアプレート部９に設ける仕切挿入孔１１に挿入させることができる。この仕切バリアプレート部１０により、この仕切バリアプレート部１０の左右両側には一対のコイル収容部ＳａとＳｂが設けられる。一方、左右一対の側面プレート部１５ａ，１５ｂは、ベースプレート部５の左右端辺から上方へそれぞれ直角に起立し、かつ前後方向一端辺を第一バリアプレート部６の左右端辺に連続させる。このように、ベースプレート部５の左右端辺に、コイル２ａ，２ｂの側方を覆う左右一対の側面プレート部１５ａ，１５ｂを一体形成すれば、部品点数の増加を伴うことなく、第一バリアプレート部６及び第二バリアプレート部９と共にコイルケース３の周りを囲むコイル収容部を容易に形成できる利点がある。なお、ベースプレート部５の前後方向長さに対して各側面プレート部１５ａ，１５ｂの前後方向長さは若干短くなるように選定し、後述する第二バリアプレート部９の下端辺がベースプレート部５の上面に載置できるようにする。
【００２１】
第二ケース部材３ｑは、第二バリアプレート部９及び左右一対のコイルボビン部８ａ，８ｂを、プラスチック等の絶縁素材により一体に形成する。第二バリアプレート部９は、第一バリアプレート部６と外郭形状が同一となり、内面に一対のコイルボビン部８ａ，８ｂの後端を一体に形成して直角に突出させる。第二バリアプレート部９のプレート面内には、コイルボビン部８ａ，８ｂの内部に連通するコア挿入孔９ａ，９ｂを形成するとともに、外面には、コアカバー部２２を一体に形成する。コア挿入孔９ａ，９ｂには、外側から後述するコの字状を成すコア部１６ｑを挿入することができる。したがって、コアカバー部２２は、挿入したコア部１６ｑの左右側及び上側を覆うことができる。
【００２２】
一対のコイル２ａ，２ｂは、それぞれ断面が矩形（長方形）となる平角導線Ｗｓを巻回した縦巻コイルを用いる。一対のコイル２ａ，２ｂは、同一に構成できるため、二つの同一コイル２ａ…を用意し、一方をコイル２ａとし、他方をコイル２ｂとして用いればよい。一方のコイル２ａは、図２に示すように、両端を下方へ延出させ、一端側をリード部２ａｓとし、他端側をリード部２ａｔとして用いる。同様に、他方のコイル２ｂの一端側をリード部２ｂｓとし、他端側をリード部２ｂｔとして用いる。このように、平角導線Ｗｓを巻回した縦巻コイルを用いれば、プリント基板や別途の電極等を用いることなく、ベースプレート部５に形成した導出孔４…にリード部２ａｓ…を挿通させるのみで外部への接続リード部を容易に設けることができる利点がある。
【００２３】
一対のコア部１６ｐ，１６ｑは、それぞれフェライト等の磁性材によりコの字状に形成する。一対のコア部１６ｐ，１６ｑは、同一に構成できるため、二つの同一コア部１６ｐ…を用意し、一方をコア部１６ｐとし、他方をコア部１６ｑとして用いればよい。各コア部１６ｐ，１６ｑは、各コイルボビン部８ａ，８ｂに対して両端側からそれぞれ挿入することができる。このような一対のコア部１６ｐ，１６ｑを用いた場合であっても、第一バリアプレート部６及び第二バリアプレート部９とコイルボビン部８ａ，８ｂの構造により容易に組付けを行うことができるとともに、特に、第一バリアプレート部６に対するコイルボビン部８ａ，８ｂの先端側８ａｉ，８ｂｉの挿入構造によりコイル２ａ，２ｂとコア部１６ｐ，１６ｑ間の実質的な沿面距離を長くできる利点がある。なお、第一バリアプレート部６及び第二バリアプレート部９から外側に突出する一部のコア部１６ｐ，１６ｑは、コアカバー部２１，２２によりそれぞれ覆われて外的に保護される。
【００２４】
次に、本実施形態に係るコイル装置１の組付方法について、図１〜図７を参照して説明する。
【００２５】
まず、第一ケース部材３ｐに対してコイル２ａ及び２ｂの組付けを行う。この場合、第一ケース部材３ｐのコイル収容部Ｓａ，Ｓｂに各コイル２ａ，２ｂをそれぞれ収容し、各コイル２ａ，２ｂのリード部２ａｓ，２ａｔ，２ｂｓ，２ｂｔをそれぞれ対応する導出孔４…に挿通させる。これにより、各リード部２ａｓ，２ａｔ，２ｂｓ，２ｂｔは、ベースプレート部５の下方に突出（導出）し、そのまま外部の基板等に接続する接続リードとなる。
【００２６】
次いで、第一ケース部材３ｐに対して第二ケース部材３ｑの組付けを行う。この場合、第二ケース部材３ｑは、図３に示す矢印方向から第一ケース部材３ｐに対して組付けを行い、この際、第二ケース部材３ｑにおけるコイルボビン部８ａ，８ｂを、第一ケース部材３ｐに組付けた各コイル２ａ，２ｂの内部に挿通させ、コイルボビン部８ａ，８ｂの先端側８ａｉ，８ｂｉは第一ケース部材３ｐにおける第一バリアプレート部６のボビン挿入孔７ａ，７ｂに挿入（嵌合）するとともに、第一ケース部材３ｐにおける仕切バリアプレート部１０の当接部１０ｓを、第二ケース部材３ｑにおける第二バリアプレート部９の仕切挿入孔１１に挿入（嵌合）する。
【００２７】
これにより、図４に一部抽出拡大図で示すように、コイルボビン部８ａ，８ｂの先端側８ａｉ，８ｂｉとボビン挿入孔７ａ，７ｂはガタ付きが無く嵌合し、コイルボビン部８ａ，８ｂの先端側８ａｉ，８ｂｉの先端面は第一バリアプレート部６の外面にほぼ一致する。また、当接部１０ｓと仕切挿入孔１１もガタ付きが無く嵌合し、当接部１０ｓの先端面は第二バリアプレート部９の外面にほぼ一致する。したがって、第一ケース部材３ｐと第二ケース部材３ｑを組付けた状態では、第二ケース部材３ｑは第一ケース部材３ｐに対して、左右方向，前後方向及び上下方向に位置決めされた状態で固定される。このようなコイルボビン部８ａ，８ｂの先端側８ａｉ，８ｂｉと第一バリアプレート部６の挿入構造（嵌合構造）により、コイル２ａ，２ｂとコア部１６ｐ，１６ｑ間の沿面距離を長くすることができるとともに、仕切バリアプレート部１０に設けた当接部１０ｓと第二バリアプレート部９の挿入構造（嵌合構造）により、コイル２ａと２ｂ相互間の沿面距離を長くすることができる。
【００２８】
次いで、コア部１６ｐ及び１６ｑの組付けを行う。この場合、一方のコア部１６ｐは、第一バリアプレート部６の外側からコイルボビン部８ａ，８ｂの内部に挿入、即ち、図３に示す矢印方向から第一バリアプレート部６の外面に臨むコイルボビン部８ａ，８ｂにおける先端側８ａｉ，８ｂｉの端面開口に挿入する。また、他方のコア部１６ｑは、第二バリアプレート部９の外側からコイルボビン部８ａ，８ｂの内部に挿入、即ち、図３に示す矢印方向から第二バリアプレート部９に設けたコア挿入孔９ａ，９ｂを介してコイルボビン部８ａ，８ｂの内部に挿入する。これにより、コア部１６ｐと１６ｑの先端同士が衝き合わさ、矩形をなす閉じた磁路が構成される。
【００２９】
そして、以上の組付けが終了したなら、図７に示すように、外周面に沿ってテーピング３１を施す。この場合、図２に示すように、コアカバー部２１（２２）の上下方向幅にほぼ一致する幅を有する固定用のテープＴを用意し、このテープＴをコアカバー部２１，２２及び側面プレート部１５ａ，１５ｂを含む外周面に沿って巻付ける。このテーピング３１により、第一ケース部材３ｐと第二ケース部材３ｑ及びコア部１６ｐと１６ｑが固定され、図７示す目的のコイル装置１を得ることができる。
【００３０】
次に、本実施形態に係るコイル装置１の具体的な使用例について、図８を参照して説明する。
【００３１】
コイル装置１は、図８に示すように、特に、交流電源とこの交流電源を用いる機器Ｍ間を接続する電源ラインＬｃ，Ｌｃに付設し、電源ラインＬｃ，Ｌｃのノイズを除去するノイズフィルタＦとして用いることができる。図８は、一対のコイル２ａ，２ｂをコモンモードコイルとして用いたノイズフィルタＦを示す。図８に示すコイル装置１は、他の構成部品であるコンデンサ４２，４３，４４，４５及びチョークコイル４６と組合わせてノイズフィルタＦを構成する。なお、例示の機器Ｍは、スイッチングレギュレータ４７とこのスイッチングレギュレータ４７に接続した負荷（産業ロボット，空調機器等）４８を示す。また、４１は交流電源に接続する電源プラグを示している。なお、図８は、一対のコイル２ａ，２ｂをコモンモードコイルとして用いた場合を示したが、一対のコイル２ａ，２ｂを直列接続又は並列接続するノーマルモードコイルとして用いることもできる。コイル装置１を、このようなノイズフィルタに用いることにより、ノイズフィルタの小型コンパクト化及び低コスト化に寄与できる利点がある。
【００３２】
よって、このような本実施形態に係るコイル装置１によれば、第二ケース部材３ｑに、コイルボビン部８ａ，８ｂの後端を一体形成し、コイルボビン部８ａ，８ｂの先端側８ａｉ，８ｂｉを第一ケース部材３ｐのボビン挿入孔７ａ，７ｂに挿入するとともに、第一ケース部材３ｐ又は第二ケース部材３ｑの一方に、一対のコイル２ａ，２ｂを仕切る仕切バリアプレート部１０を一体形成し、かつ他方に、仕切バリアプレート部１０の当接部１０ｓを挿入するようにしたため、コイル２ａと２ｂ間等における見掛上の距離を短くしても、比較的高い電圧が印加される電源ラインＬｃ，Ｌｃに付設する際の実質的な距離（沿面距離）を長くすることができる。したがって、必要な絶縁性を確保でき、コイルケース３、更にはコイル装置１全体の小型コンパクト化を実現することができる。また、コイルケース３は、コイル２ａ，２ｂのリード部２ａｓ…を導出させる導出孔４…を有する第一ケース部材３ｐと、一対のコイルボビン部８ａ，８ｂを一体に有する第二ケース部材３ｑとを組付けて構成するため、基本的には、第一ケース部材３ｐと第二ケース部材３ｑの二つの部品で足りる。したがって、部品点数の削減及び製造工数の低減を図れるため、コイル装置１全体における部品及び製造に伴うコストダウンを実現することができる。
【００３３】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３４】
例えば、一対のコイル２ａ，２ｂとは、個数として二つを意味するものではない。したがって、三つのコイル２ａ，２ｂ，２ｃや四つ以上のコイル２ａ，２ｂ…であってもよく、三つのコイル２ａ，２ｂ，２ｃの場合には、一対のコイル２ａ，２ｂ及び一対のコイル２ｂ，２ｃの二組を備えることになる。また、ベースプレート部５の左右端辺にそれぞれ一体形成してコイル２ａ，２ｂの側方を覆う左右一対の側面プレート部１５ａ，１５ｂや一対のコア部１６ｐ，１６ｑなどは必ずしも設けることを要しない。一方、一対のコイル２ａ，２ｂとして、平角導線Ｗｓを巻回した縦巻コイルを用いることが望ましいが、一般的な丸形導線の使用を排除するものではない。なお、本発明に係るコイル装置１は、使用例（用途）として、電源ラインＬｃ，Ｌｃに付設するノイズフィルタを例示したが、その他、交流電源とこの交流電源を用いる機器Ｍ間を接続する電源ラインＬｃ，Ｌｃに付設することができる各種コイル装置１、例えば、力率改善用コイル，平滑用コイル，昇圧／降圧コイル，トランス等にも同様に利用することができる。
【図面の簡単な説明】
【００３５】
【図１】本発明の最良の実施形態に係るコイル装置の断面平面図、
【図２】同コイル装置の一部断面正面図、
【図３】同コイル装置に用いる構成部品の分解平面図、
【図４】同コイル装置に用いるコイルケースにおける一部の抽出拡大図を含む一部断面平面図、
【図５】同コイル装置に用いるコイルケースのコイルボビン部における一部断面側面図、
【図６】同コイル装置に用いるコイルケースの仕切バリアプレート部における一部断面側面図、
【図７】同コイル装置の平面図、
【図８】同コイル装置の使用例を示す電気回路図、
【符号の説明】
【００３６】
１：コイル装置，２ａ：コイル，２ｂ：コイル，２ａｓ：リード部，２ａｔ：リード部，２ｂｓ：リード部，２ｂｔ：リード部，３：コイルケース，３ｐ：第一ケース部材，３ｑ：第二ケース部材，４…：導出孔，５：ベースプレート部，６：第一バリアプレート部，７ａ：ボビン挿入孔，７ｂ：ボビン挿入孔，８ａ：コイルボビン部，８ｂ：コイルボビン部，８ａｉ：コイルボビン部の先端側，８ｂｉ：コイルボビン部の先端側，９：第二バリアプレート部，１０：仕切バリアプレート部，１０ｓ：当接部，１１：仕切挿入孔，１５ａ：側面プレート部，１５ｂ：側面プレート部，１６ｐ：コア部，１６ｑ：コア部，Ｍ：機器，Ｌｃ：電源ライン，Ｗｓ：平角導線，Ｆ：ノイズフィルタ
【図１】
2009123825.tif 000003
【図２】
2009123825.tif 000004
【図３】
2009123825.tif 000005
【図４】
2009123825.tif 000006
【図５】
2009123825.tif 000007
【図６】
2009123825.tif 000008
【図７】
2009123825.tif 000009
【図８】
2009123825.tif 000010